(57)【特許請求の範囲】
【請求項１】
下向きの吐出口を有するＬ型形状の先端部を備え、水栓本体に装着される吐水管に、先端部上方側から着脱自在に取り付けられる断熱キャップであって、下方開口および後方開口を有し、前記先端部を上方から覆うようＬ型形状に形成されたキャップ本体と、このキャップ本体の内面側に設けられ、弾性変形により前記先端部を係止するバンドとを備え、
前記バンドは、金属製で、正面視門型形状をなすとともに、中央部に小孔を有する一方、前記キャップ本体は、樹脂製であり、前記バンドの前記中央部が嵌め込み可能な大きさの嵌込溝を内面に有し、更に、前記中央部を前記嵌込溝に嵌め込んだ後、前記キャップ本体における前記小孔に対応する部分を前記キャップ本体の内面側から加熱することにより前記小孔を通って前記中央部の下面における小孔周辺に至る熱溶着部を設けて前記バンドを前記キャップ本体に固定してあることを特徴とする断熱キャップ。
【発明の詳細な説明】
【０００１】
【発明の属する技術分野】
この発明は、水栓の吐水管の先端部に取り付けられる断熱キャップに関する。
【０００２】
【従来の技術】
図５に示すように、湯水混合水栓の水栓本体４１に着脱自在に装着される金属製の吐水管として、ストレート形状の先端部４２ａに断熱キャップ４３が取り付けられた吐水管４２や、下向きの吐出口４８を有するＬ型形状の先端部４３ａを備えた吐水管４４がある。
【０００３】
そして、前記断熱キャップ４３として、先端部４２ａに外嵌されるキャップ本体４５と、このキャップ本体４５の下面から下向きに開設された吐出口部４６と、断熱キャップ４３を吐水管４２に抜け止め係止するための割り筒状の係止ピン４７とを有するものが知られている。
【０００４】
【発明が解決しようとする課題】
しかし、前記断熱キャップ４３は吐水管４２に専用のものであることから、図５から分かるように、湯水混合水栓において、断熱キャップ付きの吐水管を得ようとすると、既設の吐水管４４を水栓本体４１から取り外し、吐水管４２に交換しなければならなかった。このため、断熱キャップ４３付きの吐水管４２を新たに購入する必要があり交換費用が高価であるとともに、金属製の吐水管４４を廃棄しなければならなかった。
【０００５】
この発明は、前記の点に留意してなされたものであり、その目的は、下向きの吐出口を有するＬ型形状の先端部を備えた既設の吐水管に取り付けできる断熱キャップを提供することである。
【０００６】
【課題を解決するための手段】
上記目的を達成するために、この発明の断熱キャップは、下向きの吐出口を有するＬ型形状の先端部を備え、水栓本体に装着される吐水管に、先端部上方側から着脱自在に取り付けられる断熱キャップであって、下方開口および後方開口を有し、前記先端部を上方から覆うようＬ型形状に形成されたキャップ本体と、このキャップ本体の内面側に設けられ、弾性変形により前記先端部を係止するバンドとを備え、
前記バンドは、金属製で、正面視門型形状をなすとともに、中央部に小孔を有する一方、前記キャップ本体は、樹脂製であり、前記バンドの前記中央部が嵌め込み可能な大きさの嵌込溝を内面に有し、更に、前記中央部を前記嵌込溝に嵌め込んだ後、前記キャップ本体における前記小孔に対応する部分を前記キャップ本体の内面側から加熱することにより前記小孔を通って前記中央部の下面における小孔周辺に至る熱溶着部を設けて前記バンドを前記キャップ本体に固定してあることを特徴とする。
【０００７】
【発明の実施の形態】
以下、この発明の実施形態について説明する。
図１〜図３は、この発明の一実施形態を示す。なお、図１〜図３において、図５で示す符号と同一のものは、同一または相当物である。
【０００８】
この発明は、上述した下向きの吐出口４８を有するＬ型形状の先端部４３ａを備え、水栓本体４１（図５参照）に装着される吐水管４４に、先端部上方側から着脱自在に取り付けられる断熱キャップ１を提供するものである。
【０００９】
図１〜図３において、断熱キャップ１は、吐水管４４の前記先端部４３ａを上方から覆うようＬ型形状に形成された樹脂製のキャップ本体１０と、弾性変形により前記先端部４３ａを係止する金属製のバンド１１とを備えている。
【００１０】
前記先端部４３ａは、上流側の円筒状水平部分５と、この円筒状水平部分５から下流側に下向きに湾曲しながら連設された円筒状湾曲部分６とよりなる。また、キャップ本体１０は、円筒状水平部分５を被覆できる形状を有する先端部被覆部分１０ａと、この先端部被覆部分１０ａから前方に下向きに湾曲しながら連設され、円筒状湾曲部分６を被覆できる形状を有する先端部被覆部分１０ｂとから構成される。
【００１１】
前記キャップ本体１０は、先端部被覆部分１０ｂから先端部被覆部分１０ａにわたり形成された下方開口３と、先端部被覆部分１０ａに形成された後方開口４とを有する。
【００１２】
また、前記バンド１１は、正面視門型形状をなすとともに、後述する中央部に小孔７を有し、キャップ本体１０の内面側（裏面側）に設けられている。
【００１３】
以下、前記バンド１１の形状について詳述する。
【００１４】
前記バンド１１は、例えばステンレスなどのばね材を例えば左右対称に折曲して形成してある。この実施形態では、前記先端部４３ａの円筒状水平部分５および円筒状湾曲部分６にそれぞれ係合される二つのバンド１１をキャップ本体１０の内面側（裏面側）に設けている。
【００１５】
前記バンド１１は、前記円筒状水平部分５の金属表面または円筒状湾曲部分６の金属表面に係合される略Ω字状の係止部１１ａと、この係止部１１ａの一部に折曲形成された略Π字状の取付基部１１ｂとよりなる。
【００１６】
そして、前記係止部１１ａは、略円弧状に湾曲された左右一対の湾曲部分１１ｃと、湾曲部分１１ｃ，１１ｃの下端において開口した左右一対の挿入ガイド１１ｄとを有しており、前記係止部１１ａは、例えば塩化ビニールなどの樹脂によってコーティングされている。このように係止部１１ａを樹脂コーティングすることにより、バンド１１を円筒状水平部分５の金属表面や円筒状湾曲部分６の金属表面に傷を付けることなく取付けることができる。７７は、係止部１１ａの下端において挿入ガイド１１ｄ，１１ｄ間に形成された開口である。
【００１７】
そして、左右一対の前記取付基部１１ｂ，１１ｂとこれら左右一対の前記取付基部１１ｂ，１１ｂを繋ぐ平面視矩形形状の水平板部分９とからバンド１１の上部が構成される。前記水平板部分９は、前記バンド１１の中央部を構成する。係止部１１ａは、前記水平板部分（中央部）９の中心位置に前記小孔７を有する。
【００１８】
また、左右一対の湾曲部分１１ｃと、左右一対の挿入ガイド１１ｄとからバンド１１の下部が構成される。
【００１９】
次に、キャップ本体１０について説明する。
【００２０】
キャップ本体１０は、バンド１１の前記水平板部分（中央部）９が嵌め込み可能な大きさの二つの嵌込溝２０，２１を内面（裏面）に有する。一方の嵌込溝２０は、キャップ本体１０の先端部被覆部分１０ａの内面（裏面）に形成されている。他方の嵌込溝２１は、キャップ本体１０の先端部被覆部分１０ｂの内面（裏面）に形成されている。
【００２１】
更に、この実施形態では、キャップ本体１０に各バンド１１を固定するために熱溶着部３０を設けている。その手順は以下の通りである。
【００２２】
バンド１１の水平板部分９を例えば嵌込溝２０に嵌め込んだ後、前記キャップ本体１０の先端部被覆部分１０ａにおける前記小孔７に対応する部分を先端部被覆部分１０ａの内面側（裏面側）から加熱することにより、小孔７を通って水平板部分９の下面における小孔７周辺に至る前記熱溶着部３０を設ける。これにより、水平板部分９は、小孔７を介して、先端部被覆部分１０ａの嵌込溝２０の底面と熱溶着部３０によって挟まれ、かつ、先端部被覆部分１０ａが熱溶解した樹脂で熱溶着されるので、前記バンド１１を前記キャップ本体１０の先端部被覆部分１０ａの嵌込溝２０内に固定できる。バンド１１の水平板部分９を嵌込溝２１に嵌め込んだ場合も同様で、前記バンド１１を前記キャップ本体１０の先端部被覆部分１０ｂの嵌込溝２１内に固定できる。
【００２３】
このように、下向きの吐出口４８を有するＬ型形状の先端部４３ａを備え、水栓本体４１（図５参照）に装着される吐水管４４に、先端部上方側から着脱自在に取り付けられる断熱キャップ１をワンタッチで後付けできるので、変更コストも断熱キャップ１のコストだけで済み安価であるとともに、従来のように吐水管４４を廃棄処分する必要はなくなるので、廃棄物が発生することはなく、環境に優しい。更に、断熱キャップ４３と同様の断熱効果を得ることができる。
【００２４】
図４は、バンドの変形例を示すこの発明の他の実施形態を示す。なお、図４において、図１〜図３で示す符号と同一のものは、同一または相当物である。
【００２５】
図４において、１６は、前記円筒状水平部分５の金属表面または円筒状湾曲部分６の金属表面に取り付けられるバンドであり、このバンド１６は例えばステンレスなどのばね材を左右対称に折曲して形成している。このバンド１６は、円筒状水平部分５の金属表面または円筒状湾曲部分６の金属表面にに係合される略Ω字状の係止部１６ａおよびこの係止部１６ａの一部に折曲形成された逆台形状の取付基部１６ｂからなっている。
【００２６】
そして、前記係止部１６ａは左右合わせて略円形に湾曲された湾曲部分１６ｃと、その下端において開口した挿入ガイド１６ｄとを有しており、この係止部１６ａを例えば塩化ビニールなどの樹脂によってコーティングしている。また、前記取付基部１６ｂの上端に平面視矩形形状の水平板部分９を有するとともに、水平板部分９の中心位置に小孔７を形成している。
【００２７】
【発明の効果】
この発明では、下向きの吐出口を有するＬ型形状の先端部を備えた既設の吐水管に取り付けできる断熱キャップを提供することができる。
【図面の簡単な説明】
【図１】  この発明の一実施形態における取り付け状態を示す要部分解斜視図である。
【図２】  上記実施形態における取り付け状態を示す構成説明図である。
【図３】  上記実施形態で用いたキャップ本体に対するバンドの取り付け状態を示す構成説明図である。
【図４】  この発明の他の実施形態におけるバンドを示す斜視図である。
【図５】  従来の問題点を示す要部分解斜視図である。
【符号の説明】
１…断熱キャップ、３…下方開口、４…後方開口、１０…キャップ本体、１１…バンド、４１…水栓本体、４３ａ…先端部、４４…吐水管、４８…下向きの吐出口。
【図１】
0004054217.tif 000002
【図２】
0004054217.tif 000003
【図３】
0004054217.tif 000004
【図４】
0004054217.tif 000005
【図５】
0004054217.tif 000006